(57)【要約】  物流配送方法が開示されている。該方法は、物流システムにより、予め保存されている住所ライブラリ及び予め設定されている住所変換規則に従って、一つ又は複数の梱包に対応する一つ又は複数の受取人住所を一つ又は複数の受取人住所に対応する一つ又は複数の住所識別子に変換するステップを具備することができる。該方法は、物流システムにより、一つ又は複数の梱包の物流配送のために、一つ又は複数の住所識別子を一つ又は複数の輸送業者システムに送信するステップを更に具備することができる。
2019509544.tif 000002
【特許請求の範囲】
【請求項１】
物流配送方法であって、
物流システムにより、予め保存されている住所ライブラリ及び予め設定されている住所変換規則に従って、一つ又は複数の梱包に対応する一つ又は複数の受取人住所を前記一つ又は複数の受取人住所に対応する一つ又は複数の住所識別子に変換するステップと、
前記物流システムにより、前記一つ又は複数の梱包の物流配送のために、前記一つ又は複数の住所識別子を一つ又は複数の輸送業者システムに送信するステップと、
を具備する方法。
【請求項２】
前記一つ又は複数の輸送業者システムは、発注受領輸送業者システムと、配送輸送業者システムと、を具備する、請求項１に記載の物流配送方法。
【請求項３】
前記発注受領輸送業者システムにより、前記一つ又は複数の住所識別子に従って、同一の住所識別子に対応する梱包を一つの大きな梱包に梱包し、且つ、一つ又は複数の大きな梱包及び前記一つ又は複数の大きな梱包に対応する一つ又は複数の住所識別子を前記配送輸送業者システムに送付するステップと、
前記配送輸送業者システムにより、前記一つ又は複数の大きな梱包に対応する、且つ、前記発注受領輸送業者システムによって送付された、前記一つ又は複数の住所識別子、前記予め保存されている住所ライブラリ、及び前記予め設定されている住所変換規則に従って、前記一つ又は複数の大きな梱包を配送するステップと、
を更に具備する、請求項２に記載の物流配送方法。
【請求項４】
前記住所識別子は、少なくとも、仕向け先国に対応する第一識別子と、仕向け先州／県に対応する第二識別子と、を具備し、且つ、前記予め設定された住所変換規則は、住所−識別子対応性ライブラリを具備し、且つ、
前記発注受領輸送業者システムにより、前記一つ又は複数の住所識別子に従って、前記同一の住所識別子に対応する前記梱包を前記一つの大きな梱包に梱包し、且つ、前記一つ又は複数の大きな梱包及び前記一つ又は複数の大きな梱包に対応する前記一つ又は複数の住所識別子を前記配送輸送業者システムに送付するステップは、
前記同一の住所識別子に対応する梱包を一つの大きな梱包に梱包し、且つ、前記住所識別子を前記大きな梱包に付加するステップと、
前記大きな梱包を前記配送輸送業者システムに送付するステップと、
を具備する、請求項３に記載の物流配送方法。
【請求項５】
前記配送輸送業者システムにより、前記一つ又は複数の大きな梱包に対応する、且つ、前記発注受領輸送業者システムによって送信された、前記一つ又は複数の住所識別子、前記予め保存されている住所ライブラリ、及び前記予め設定されている住所変換規則に従って前記一つ又は複数の大きな梱包を配送するステップは、
前記一つ又は複数の大きな梱包に接着している前記一つ又は複数の住所識別子に従って前記一つ又は複数の大きな梱包をソートするステップと、
前記住所−識別子対応性ライブラリ及び前記住所ライブラリに従って前記一つ又は複数の大きな梱包を一つ又は複数の対応する仕向け先州／県に配送するステップと、
を具備する、請求項４に記載の物流配送方法。
【請求項６】
前記住所ライブラリは、住所名を具備し、且つ、前記住所−識別子対応性ライブラリは、前記住所名と、前記住所名に対応する識別子と、を具備し、且つ、
前記物流システムにより、前記予め保存されている住所ライブラリ及び前記予め設定されている住所変換規則に従って、前記一つ又は複数の梱包に対応する前記一つ又は複数の受取人住所を前記一つ又は複数の受取人住所に対応する前記一つ又は複数の住所識別子に変換するステップは、
複数のセグメント化されたフレーズを得るべく、前記一つ又は複数の受取人住所に対してワードセグメント化を実行するステップと、
一つ又は複数のマッチングした住所名を得るべく、前記複数のセグメント化されたフレーズと前記住所ライブラリとの間においてマッチングを実行するステップと、
前記一つ又は複数の住所名に対応する一つ又は複数の識別子について前記住所−識別子対応性ライブラリをサーチするステップと、
前記一つ又は複数の受取人住所に対応する前記一つ又は複数の住所識別子を得るべく、前記一つ又は複数の住所名の前記一つ又は複数の識別子を組み合わせるステップと、
を具備する、請求項５に記載の物流配送方法。
【請求項７】
前記住所名に対応する前記識別子は、数値、一つ又は複数の文字、及び／又は数値−文字の組合せを含む、請求項６に記載の物流配送方法。
【請求項８】
前記発注受領輸送業者システム及び前記配送輸送業者システムは、同一のエンティティに属している、請求項２に記載の物流配送方法。
【請求項９】
前記配送輸送業者システムは、
一つ又は複数の中継輸送業者システムと、
最終配送輸送業者システムと、
を具備する、請求項２に記載の物流配送方法。
【請求項１０】
前記物流システムにより、住所名に従って前記住所ライブラリを生成し、且つ、前記住所ライブラリを保存するステップ、或いは、
前記物流システムにより、クラウドサーバから前記住所ライブラリをダウンロードし、且つ、前記住所ライブラリを保存するステップ、
のうちの少なくとも一つを更に具備する、請求項１に記載の物流配送方法。
【請求項１１】
物流配送システムであって、
一つ又は複数の輸送業者システムと、
予め保存されている住所ライブラリ及び予め設定されている住所変換規則に従って、一つ又は複数の梱包に対応する一つ又は複数の受取人住所を前記一つ又は複数の受取人住所に対応する一つ又は複数の住所識別子に変換し、且つ、前記一つ又は複数の梱包の物流配送のために、前記一つ又は複数の住所識別子を前記一つ又は複数の輸送業者システムに送信するように構成された物流システムと、
を具備するシステム。
【請求項１２】
前記一つ又は複数の輸送業者システムは、発注受領輸送業者システムと、配送輸送業者システムと、を具備する、請求項１１に記載の物流配送システム。
【請求項１３】
前記発注受領輸送業者システムは、前記一つ又は複数の住所識別子に従って、同一の住所識別子に対応する梱包を一つの大きな梱包に梱包し、且つ、一つ又は複数の大きな梱包及び前記一つ又は複数の大きな梱包に対応する一つ又は複数の住所識別子を前記配送輸送業者システムに送付するように構成されており、且つ、
前記配送輸送業者システムは、前記一つ又は複数の大きな梱包に対応する、且つ、前記発注受領輸送業者システムによって送信された、前記一つ又は複数の住所識別子、前記予め保存されている住所ライブラリ、及び前記予め設定されている住所変換規則に従って前記一つ又は複数の大きな梱包を配送するように構成されている、
請求項１２に記載の物流配送システム。
【請求項１４】
前記住所識別子は、少なくとも、仕向け先国に対応する第一識別子と、仕向け先州／県に対応する第二識別子と、を具備し、
前記予め設定されている住所変換規則は、住所−識別子対応性ライブラリを具備し、
前記一つ又は複数の住所識別子に従って、前記同一の住所識別子に対応する前記梱包を前記一つの大きな梱包に梱包し、且つ、前記一つ又は複数の大きな梱包及び前記一つ又は複数の大きな梱包に対応する前記一つ又は複数の住所識別子を前記配送輸送業者システムに送付するべく、前記発注受領輸送業者システムは、
前記同一の住所識別子に対応する梱包を一つの大きな梱包に梱包し、且つ、前記住所識別子を前記大きな梱包に付加し、
前記大きな梱包を前記配送輸送業者システムに送付する、
ように構成されている、
請求項１３に記載の物流配送システム。
【請求項１５】
前記一つ又は複数の大きな梱包に対応する、且つ、前記発注受領輸送業者システムによって送信された、前記一つ又は複数の住所識別子、前記予め保存されている住所ライブラリ、及び前記予め設定されている住所変換規則に従って、前記一つ又は複数の大きな梱包を配送するべく、前記配送輸送業者システムは、
前記一つ又は複数の大きな梱包に接着している前記一つ又は複数の住所識別子に従って前記一つ又は複数の大きな梱包をソートし、
前記住所−識別子対応性ライブラリ及び前記住所ライブラリに従って前記一つ又は複数の大きな梱包を一つ又は複数の対応する仕向け先州／県に配送する、
ように構成されている、
請求項１４に記載の物流配送システム。
【請求項１６】
前記住所ライブラリは、住所名を具備し、
前記住所−識別子対応性ライブラリは、前記住所名と、前記住所名に対応する識別子と、を具備し、
前記予め保存されている住所ライブラリ及び前記予め設定されている住所変換規則に従って、前記一つ又は複数の梱包に対応する前記一つ又は複数の受取人住所を前記一つ又は複数の受取人住所に対応する前記一つ又は複数の住所識別子に変換するべく、前記物流システムは、
複数のセグメント化されたフレーズを得るべく、前記一つ又は複数の受取人住所に対してワードセグメント化を実行し、
一つ又は複数のマッチングした住所名を得るべく、前記複数のセグメント化されたフレーズと前記住所ライブラリとの間においてマッチングを実行し、
前記一つ又は複数の住所名に対応する一つ又は複数の識別子について前記住所−識別子対応性ライブラリをサーチし、
前記一つ又は複数の受取人住所に対応する前記一つ又は複数の住所識別子を得るべく、前記一つ又は複数の住所名の前記一つ又は複数の識別子を組み合わせる、
ように構成されている、
請求項１５に記載の物流配送システム。
【請求項１７】
前記住所名に対応する前記識別子は、数値、一つ又は複数の文字、及び／又は数値−文字の組合せを含む、請求項１６に記載の物流配送システム。
【請求項１８】
前記発注受領輸送業者システム及び前記配送輸送業者システムは、同一のエンティティに属している、請求項１２に記載の物流配送システム。
【請求項１９】
前記配送輸送業者システムは、
一つ又は複数の中継輸送業者システムと、
最終配送輸送業者システムと、
を具備する、請求項１２に記載の物流配送システム。
【請求項２０】
前記物流システムは、
住所名に従って前記住所ライブラリを生成し、且つ、前記住所ライブラリを保存するステップ、或いは、
クラウドサーバから前記住所ライブラリをダウンロードし、且つ、前記住所ライブラリを保存するステップ、
のうちの少なくとも一つを実行するように構成されている、請求項１１に記載の物流配送システム。
【請求項２１】
物流システムであって、
一つ又は複数の梱包に対応する一つ又は複数の受取人住所を受け取るように構成された受信モジュールと、
予め保存されている住所ライブラリ及び予め設定されている住所変換規則に従って一つ又は複数の梱包に対応する前記一つ又は複数の受取人住所を前記一つ又は複数の受取人住所に対応する一つ又は複数の住所識別子に変換するように構成された住所識別子生成モジュールと、
前記一つ又は複数の梱包の物流配送のために、前記一つ又は複数の住所識別子を一つ又は複数の輸送業者に送信するように構成された送信モジュールと、
を具備するシステム。
【発明の詳細な説明】
【技術分野】
【０００１】
関連出願の相互参照
本出願は、２０１６年１月２２日付けで出願された中国特許出願第 201610046736.1 号に基づくと共にその優先権の利益を主張するものであり、この特許文献の内容は、引用により、そのすべてが本明細書に包含される。
【０００２】
本開示は、物流配送技術の分野に関し、且つ、更に詳しくは、物流システム及び物流配送方法及びシステムに関する。
【背景技術】
【０００３】
国境を跨いだ物流チェーンにおいては、一般に、国内物流プロバイダが、同一の仕向け先国に送付するべき複数の梱包を一つの大きな梱包に梱包しており、従って、受け取った際に、仕向け先国の物流プロバイダは、大きな梱包を開梱する必要があり、梱包の仕向け先都市に従って、大きな梱包内の複数の梱包をソートする必要があり、且つ、次いで、ソート済みの梱包を配送するようにする必要がある。
【０００４】
但し、関連する技術分野における物流配送方法においては、受取人の住所は、しばしば、仕向け先国の言語において記述されており、この結果、国内物流プロバイダによる梱包のソートが困難である。例えば、梱包は、仕向け先国レベルにおいてのみ、ソートすることが可能であり、且つ、例えば、州／県レベルにおけるなどの、相対的に微細なレベルにおいてソートすることができない。この結果、時間、労働、及びリソースが浪費される共に物流配送効率が低下し、従って、ユーザ経験が台無しになる。
【発明の概要】
【０００５】
本開示は、少なくとも、関連技術分野における技術的問題点のうちの一つを特定の程度にまで解決することと意図したものである。従って、本開示の第一の目的は、物流配送方法を提供する、というものである。この方法は、物流配送効率を改善することが可能であり、且つ、簡単且つ便利である。
【０００６】
本開示の第二の目的は、物流配送システムを提供する、というものである。
【０００７】
本開示の第三の目的は、物流システムを提供する、というものである。
【０００８】
上述の目的を実現するべく、本開示の第一の態様の一実施形態による物流配送方法が提供され、この方法は、物流システムにより、予め保存されている住所ライブラリ及び予め設定されている住所変換規則に従って、一つ又は複数の梱包に対応する一つ又は複数の受取人住所を一つ又は複数の受取人住所に対応する一つ又は複数の住所識別子に変換するステップと、物流システムにより、一つ又は複数の梱包の物流配送のために、一つ又は複数の住所識別子を一つ又は複数の輸送業者システムに送信するステップと、を含む。
【０００９】
本開示のこの実施形態における物流配送方法においては、大きな梱包を開梱する必要がないように、且つ、住所に迅速にラベル付与し得るように、受取人住所が、受取人住所に対応する住所識別子に変換され、且つ、住所識別子が、発注受領輸送業者システム及び配送輸送業者システムに送信されている。発注受領輸送業者システム及び配送輸送業者システムは、いくつかの実施形態においては、別個のシステムであってもよく、且つ、いくつかのその他の実施形態においては、例えば、一つのコンピュータ又はサーバシステムなどの、一つのシステムによって実装することが可能であり、且つ、一つのエンティティによって所有されていてもよい。方法は、国際物流配送に対して適用可能であり、言語障壁を除去し、且つ、配送を促進し、この結果、物流配送効率が効果的に改善されるのみならず、時間及び労働が節約され、配送費用が低減され、且つ、配送が相対的に科学的且つ適切なものとなる。又、配送効率を改善しつつ、開梱によってもたらされる梱包損失などの問題も、低減される。上述の目的を実現するべく、本開示の第二の態様の一実施形態による物流配送システムは、一つ又は複数の輸送業者システムと、出荷の際に、予め保存されている住所ライブラリ及び予め設定されている住所変換規則に従って、一つ又は複数の梱包に対応する一つ又は複数の受取人住所を一つ又は複数の受取人住所に対応する一つ又は複数の住所識別子に変換し、且つ、一つ又は複数の梱包の物流配送のために、一つ又は複数の住所識別子を一つ又は複数の輸送業者システムに送信するように、構成された物流システムと、を含む。
【００１０】
本開示の実施形態における国際物流配送システムにおいては、大きな梱包を開梱する必要がないように、且つ、住所に迅速にラベル付与し得るように、受取人住所が、受取人住所に対応する住所識別子に変換され、且つ、住所識別子が、発注受領輸送業者システム及び配送輸送業者システムに送信されている。システムは、国際物流配送に対して適用可能であり、且つ、言語障壁を除去し、且つ、配送を促進し、この結果、物流配送効率が効果的に改善されるのみならず、時間及び労働が節約され、配送費用が低減され、且つ、配送が相対的に科学的且つ適切なものとなる。又、配送効率を改善しつつ、開梱によってもたらされる梱包損失などの問題も、低減される。
【００１１】
上述の目的を実現するべく、本開示の第三の態様の一実施形態による物流システムが提供され、システムは、一つ又は複数の梱包に対応する一つ又は複数の受取人住所を受け取るように構成された受信モジュールと、予め保存されている住所ライブラリ及び予め設定されている住所変換規則に従って、一つ又は複数の梱包に対応する一つ又は複数の受取人住所を一つ又は複数の受取人住所に対応する一つ又は複数の住所識別子に変換するように構成された住所識別子生成モジュールと、一つ又は複数の梱包の物流配送のために、一つ又は複数の住所識別子を一つ又は複数の輸送業者システムに送信するように構成された送信モジュールと、を含む。
【００１２】
本開示のこの実施形態における物流システムにおいては、大きな梱包を開梱する必要がないように、且つ、住所に迅速にラベル付与し得るように、受取人住所が、受取人住所に対応する住所識別子に変換され、且つ、住所識別子が、発注受領輸送業者システム及び配送輸送業者システムに送信されている。システムは、国際物流配送に適用可能であり、言語障壁を除去し、且つ、配送を促進し、この結果、物流配送効率が効果的に改善されるのみならず、時間及び労働が節約され、配送費用が低減され、且つ、配送が相対的に科学的且つ適切なものとなる。又、配送効率を改善しつつ、開梱によってもたらされる梱包損失などの問題も、低減される。
【００１３】
本開示の更なる態様及び利点については、部分的に、以下の説明において記述することとし、且つ、部分的には、その説明から明らかとなり、或いは、本開示の実施により、学ぶことができよう。
【図面の簡単な説明】
【００１４】
本開示の上述の及び／又は更なる態様及び利点については、以下の添付図面との関連において付与される実施形態に関する以下の説明から、明らかとなり、且つ、更に容易に理解することができよう。
【００１５】
【図１】図１は、本開示の一実施形態による物流配送方法のフローチャートである。
【図２】図２は、本開示の一実施形態による物流配送方法のフローチャートである。
【図３】図３は、本開示のその他の一実施形態による物流配送方法のフローチャートである。
【図４】図４は、本開示の更なる実施形態による物流配送方法のフローチャートである。
【図５】図５は、本開示の一実施形態による物流配送システムの概略構造図である。
【図６】図６は、本開示の一実施形態による物流配送システムの概略構造図である。
【図７】図７は、本開示の一実施形態による物流システムの概略構造図である。
【発明を実施するための形態】
【００１６】
以下、添付図面にその例が示されている、本開示の実施形態について詳細に説明するが、添付図面においては、全体を通じて、同一又は類似の要素或いは同一又は類似の機能を有する要素が、同一又は類似の参照符号によって参照されている。添付図面を参照して後述する実施形態は、例であるに過ぎず、且つ、本開示を説明するべく意図されたものであり、従って、本開示に対する限定として理解してはならない。逆に、本開示の実施形態は、添付の請求項の精神及び範囲に含まれる、すべての変形、変更、及び均等物を含む。
【００１７】
本開示の説明においては、「第一の（first）」及び「第二の（second）」などの用語は、説明を目的としたものに過ぎず、且つ、相対的な重要性を通知又は意味するものとして理解してはならないことを理解されたい。本開示における上述の用語に関する具体的な意味は、特定の状況に従って、当業者により、理解されてもよい。これに加えて、本開示の説明においては、そうではない旨が示されていない限り、「複数の（a plurality of）」は、二つ以上を意味している。
【００１８】
フローチャートにおける説明又はその他の方式による任意のプロセス又は方法の説明は、特定の論理的機能又はプロセスにおけるステップの実行可能な命令のコードを実現するための一つ又は複数のモジュール、セグメント、又は部分を含むことを通知するものとして、且つ、本開示の好適な実施形態の範囲がその他の実装形態を含むことを通知するものとして、理解することができ、この場合に、当業者には理解されるように、機能は、実質的に同時の方式によって又は逆の順序において、関係する機能に従って機能を実行することを含む、図示及び記述されているものとは異なる方式により、実行されてもよい。
【００１９】
以下、添付図面を参照し、本開示の実施形態による物流システム及び物流配送方法及びシステムについて説明する。物流システムは、第四者物流（４ＰＬ）であってもよく、サプライチェーン統合システム／物流統合システムであってもよく、或いは、一つ又は複数の輸送業者システムであってもよい。物流システムは、サプライチェーンインテグレータであり、且つ、物流システムは、統合されたサプライチェーン解決策を提供するように、物流システム及びその他の補完的なサービスによって提供されるリソース、能力、技術を動員及び管理するように、構成することができる。即ち、物流システムは、完全な物流サービスを購入者及び販売者に提供するべく、その他の輸送業者システムと協働することができる。
【００２０】
図１は、本開示の一実施形態による物流配送方法のフローチャートである。
【００２１】
図１に示されているように、一例として国内物流を使用した場合には、物流配送方法は、以下のステップを含む。
【００２２】
Ｓ１０１：物流システムは、例えば、出荷の際に、予め保存されている住所ライブラリ及び予め設定されている住所変換規則に従って、一つ又は複数の梱包に対応する一つ又は複数の受取人住所を一つ又は複数の受取人住所に対応する一つ又は複数の住所識別子に変換する。
【００２３】
住所変換規則は、実際の状況に従って設定されてもよく、予め設定された住所変換規則は、住所−識別子対応性ライブラリを含んでいてもよく、且つ、詳細については、一例として住所−識別子対応性ライブラリを使用することにより、後述する。
【００２４】
本開示の一実施形態においては、住所ライブラリは、住所名（例えば、県名及び都市名）を含んでいてもよく、且つ、住所−識別子対応性ライブラリは、住所名と、住所名に対応する識別子と、を含む。物流システムにより、出荷の際に、予め保存されている住所ライブラリ及び予め設定されている住所変換規則に従って、一つ又は複数の梱包に対応する一つ又は複数の受取人住所を一つ又は複数の受取人住所に対応する一つ又は複数の住所識別子に変換するステップは、複数のセグメント化されたフレーズを得るべく、一つ又は複数の受取人住所に対してワードセグメント化を実行するステップと、一つ又は複数のマッチングした住所名を得るべく、複数のセグメント化されたフレーズと住所ライブラリとの間においてマッチングを実行するステップと、一つ又は複数の住所名に対応する一つ又は複数の識別子について住所−識別子対応性ライブラリをサーチするステップと、一つ又は複数の受取人住所に対応する一つ又は複数の住所識別子を得るべく、一つ又は複数の住所名の一つ又は複数の識別子を組み合わせるステップと、を含むことができる。
【００２５】
物流システムは、受取人住所に従って、且つ、特定の方法を使用することにより、マッチングした住所情報について住所ライブラリをサーチすることができる。特定の方法は、ワードセグメント化方法であってもよい。例えば、第一に、複数のセグメント化されたフレーズと住所ライブラリとの間においてマッチングを実行するように、複数のセグメント化されたフレーズを得るべく、ワードセグメント化が受取人住所に対して実行され、例えば、受取人住所が「Hangzhou, Zhejiang」である場合には、ワードセグメント化及びマッチングの後に、「Zhejiang」及び「Hangzhou」が得られ、第二に、住所−識別子対応性ライブラリが、対応する識別子についてサーチされ、「Zhejiang」に対応する識別子は、「10」であってもよく、且つ、「Hangzhou」に対応する識別子は、「HZ」であってもよく、且つ、最後に、受取人住所に対応する住所識別子である「10-HZ」を得るべく、複数の識別子が組み合わせられる。住所識別子は、県（州）に固有のものであってもよく、或いは、都市に固有のものであってもよく、これは、本開示においては、具体的に限定されてはいない。
【００２６】
任意選択により、本開示の一実施形態においては、住所名に対応する識別子は、数値であってもよく、一つ又は複数の文字であってもよく、且つ／又は、数値−文字の組合せであってもよい。例えば、Hangzhou に対応する識別子は、「01」であってもよく、「HZ」であってもよく、或いは、「01HZ」であってもよい。
【００２７】
Ｓ１０２：物流システムは、一つ又は複数の梱包の物流配送のために、一つ又は複数の住所識別子を一つ又は複数の輸送業者システムに送信する。
【００２８】
本開示の一実施形態においては、一つ又は複数の輸送業者システムは、発注受領輸送業者システムと、配送輸送業者システムと、を含む。
【００２９】
本開示の一実施形態においては、発注受取輸送業者及び配送輸送業者は、同一のエンティティであってもよい。
【００３０】
発注受取輸送業者及び配送輸送業者は、同一の輸送業者エンティティとして統合されていてもよく、即ち、輸送業者システムは、梱包の受取及び中継の責任を担っており、且つ、更には、梱包の配送の責任をも担っている。いくつかのその他の実施形態においては、発注受領輸送業者システム及び配送輸送業者システムは、別個のシステムであってもよい。
【００３１】
更には、本開示の一実施形態においては、配送輸送業者システムは、一つ又は複数の中継輸送業者システムと、一つ又は複数の最終配送輸送業者システムと、を含む。
【００３２】
複数の輸送業者システムが存在していてもよい。例えば、輸送業者システムは、輸送業者システムの機能的役割に従って、発注受領輸送業者システムと配送輸送業者システムとに分類することができる。発注受領輸送業者システムは、梱包の受取及び中継のタスクの責任を担っており、且つ、最終的な配送のために、最終的に梱包を配送輸送業者システムに送付している。
【００３３】
本開示の一実施形態においては、大きな梱包を開梱する必要がなく、この結果、物流配送効率が効果的に改善されるのみならず、時間及び労働が低減され、配送費用が低減され、且つ、配送が相対的に科学的且つ適切なものとなる。又、配送効率を改善しつつ、開梱によってもたらされる梱包損失などの問題も、低減される。
【００３４】
図２は、本開示の一実施形態による物流配送方法のフローチャートである。
【００３５】
更には、本開示の一実施形態においては、図２に示されているように、本開示の実施形態による物流配送方法は、以下のステップを含む。
【００３６】
Ｓ２０１：物流システムは、出荷の際に、予め保存されている住所ライブラリ及び予め設定されている住所変換規則に従って、一つ又は複数の梱包に対応する一つ又は複数の受取人住所を一つ又は複数の受取人住所に対応する一つ又は複数の住所識別子に変換する。
【００３７】
Ｓ２０２：物流システムは、一つ又は複数の梱包の物流配送のために、一つ又は複数の住所識別子を一つ又は複数の輸送業者システムに送信する。
【００３８】
Ｓ２０３：発注受領輸送業者システムは、一つ又は複数の住所識別子に従って、同一の住所識別子に対応する梱包を一つの大きな梱包に梱包し、且つ、一つ又は複数の大きな梱包及び一つ又は複数の大きな梱包に対応する一つ又は複数の住所識別子を配送輸送業者システムに送付する。
【００３９】
本開示の一実施形態においては、住所識別子は、少なくとも、仕向け先国に対応する第一識別子と、仕向け先州／県に対応する第二識別子と、を含んでいてもよく、且つ、予め設定されている住所変換規則は、住所−識別子対応性ライブラリを含み、且つ、発注受領輸送業者システムにより、一つ又は複数の住所識別子に従って、同一の住所識別子に対応する梱包を一つの大きな梱包に梱包し、且つ、一つ又は複数の大きな梱包及び一つ又は複数の大きな梱包に対応する一つ又は複数の住所識別子を配送輸送業者システムに送付するステップは、同一の住所識別子に対応する梱包を一つの大きな梱包に梱包し、且つ、住所識別子を大きな梱包に付加するステップと、大きな梱包を配送輸送業者システムに送付するステップと、を含む。
【００４０】
本開示のこの実施形態においては、仕向け先国に対応する第一識別子により、本開示のこの実施形態による物流配送方法は、国内物流配送に適用され得るのみならず、国際物流配送にも適用することができる（これについては、以下の実施形態において更に詳細に説明する）。これに加えて、ソート及び配送は、仕向け先州／県に対応する第二識別子により、直接的に実行することが可能であり、この結果、相対的に高い物流配送効率が実現され、且つ、時間及び労働が節約される。
【００４１】
これに加えて、発注受領輸送業者システムは、一つ又は複数の住所識別子に従って、同一の住所識別子に対応する梱包を一つの大きな梱包に梱包し、且つ、大きな梱包に対応する住所識別子を大きな梱包に付加しており、これは、配送輸送業者システムが、住所−識別子対応性ライブラリ及び一つ又は複数の大きな梱包に付加された一つ又は複数の住所識別子に従って一つ又は複数の大きな梱包をソート及び配送することを支援する。
【００４２】
更には、本開示の一実施形態においては、図２に示されているように、本開示の実施形態による物流配送方法は、以下のステップを更に含む。
【００４３】
Ｓ２０４：配送輸送業者システムは、一つ又は複数の大きな梱包に対応する、且つ、発注受領輸送業者システムによって送信された、一つ又は複数の住所識別子、予め保存されている住所ライブラリ、及び予め設定されている住所変換規則に従って、一つ又は複数の大きな梱包を配送する。
【００４４】
本開示の一実施形態においては、配送輸送業者システムにより、一つ又は複数の大きな梱包に対応する、且つ、発注受領輸送業者システムによって送信された、一つ又は複数の住所識別子、予め保存されている住所ライブラリ、及び予め設定されている住所変換規則に従って、一つ又は複数の大きな梱包を配送するステップは、一つ又は複数の大きな梱包に接着している一つ又は複数の住所識別子に従って一つ又は複数の大きな梱包をソートするステップと、住所−識別子対応性ライブラリ及び住所ライブラリに従って、一つ又は複数の大きな梱包を一つ又は複数の対応する仕向け先州／県に配送するステップと、を含むことができる。
【００４５】
発注受領輸送業者システムから一つ又は複数の大きな梱包を受け取った後に、配送輸送業者システムは、一つ又は複数の大きな梱包に接着している一つ又は複数の住所識別子に従って、一つ又は複数の大きな梱包をソートし、且つ、次いで、一つ又は複数の大きな梱包を配送する。一つ又は複数の大きな梱包は、ソート及び配送のために開梱する必要がなく、この結果、物流配送効率が改善される。
【００４６】
これに加えて、本開示の一実施形態においては、本開示の実施形態による物流配送方法は、物流システムにより、住所名に従って住所ライブラリを生成し、且つ、住所ライブラリを保存するステップ、或いは、物流システムにより、クラウドサーバから住所ライブラリをダウンロードし、且つ、住所ライブラリを保存するステップ、を更に含む。即ち、発注受領輸送業者システムが住所識別子に従って梱包を実行し得るように、且つ、配送輸送業者システムが、住所識別子に従ってソート及び配送を実行し、これにより、ソートステップを低減し得ると共に時間及び労働を節約し得るように、輸送業者システムによって識別され得る住所識別子を生成するように、予め保存されている住所ライブラリが、物流システムによって生成されてもよく、且つ、生成方法は、住所名に従って住所ライブラリを生成するステップ、或いは、クラウドサーバから住所ライブラリをダウンロードするステップを含むことができる。
【００４７】
本開示のこの実施形態による物流配送方法においては、発注受領輸送業者システムが同一の住所識別子に対応する梱包を一つの大きな梱包に梱包するように、且つ、配送輸送業者システムが、住所変換規則及び一つ又は複数の大きな梱包に対応する一つ又は複数の住所識別子に従って一つ又は複数の大きな梱包をソート及び配送するように、物流システムは、住所ライブラリ及び住所変換規則に従って受取人住所を受取人住所に対応する住所識別子に変換している。一つ又は複数の大きな梱包を開梱する必要がなく、この結果、物流配送効率が効果的に改善されるのみならず、時間及び労働が節約され、配送費用が低減され、且つ、配送が相対的に科学的且つ適切なものとなる。又、配送効率を改善しつつ、開梱によってもたらされる梱包損失などの問題も、低減される。
【００４８】
以下、国際物流配送について詳細に説明する。
【００４９】
図３に示されているように、一例として国際物流を使用すれば、物流配送方法は、以下のステップを含む。
【００５０】
Ｓ３０１：物流システムは、出荷の際に、事前に保存されている国際住所ライブラリ及び予め設定されている住所変換規則に従って、一つ又は複数の梱包に対応する一つ又は複数の受取人住所を一つ又は複数の受取人住所に対応する一つ又は複数の住所識別子に変換する。
【００５１】
住所変換規則は、実際の状況に従って設定されてもよく、予め設定されている住所変換規則は、住所−識別子対応性ライブラリを含んでいてもよく、且つ、詳細については、一例として住所−対応性ライブラリを使用することにより、後述する。
【００５２】
物流システムは、サプライチェーンインテグレータであり、且つ、物流システムは、統合されたサプライチェーン解決策を提供するように、物流システム及びその他の補完的なサービスによって提供されるリソース、能力、及び技術を動員及び管理するように構成することができる。具体的には、国境に跨る電子商取引用の物流システムにおいては、物流システムは、購入者及び販売者に対して完全な国境に跨る物流サービスを提供するように、国内物流プロバイダ、国際基幹物流プロバイダ、及び仕向け先国物流プロバイダなどの輸送業者システムと協働することができる。
【００５３】
本開示の一実施形態においては、本開示の実施形態による物流配送方法は、物流システムにより、国際住所名に従って国際住所ライブラリを生成し、且つ、国際住所ライブラリを保存するステップ、或いは、物流システムにより、クラウドサーバから国際住所ライブラリをダウンロードし、且つ、国際住所ライブラリを保存するステップ、を更に含む。
【００５４】
即ち、予め保存されている国際住所ライブラリは、物流システムプロバイダによって生成されてもよく、且つ、生成方法は、国内発注受領輸送業者システムが、住所識別子に従って梱包を実行し得るように、且つ、国際配送輸送業者システム及び仕向け先国配送輸送業者システムが、住所識別子に従ってソート及び配送を実行し、これにより、ソートステップを低減し得ると共に時間及び労働を節約し得るように、国々の輸送業者システムによって識別され得る住所識別子を生成するように、国際住所名に従って国際住所ライブラリを生成するステップ、或いは、クラウドサーバから国際住所ライブラリをダウンロードするステップ、を含むことができる。
【００５５】
更には、本開示の一実施形態においては、国際住所ライブラリは、国際住所名（例えば、国名及び州／県名）を含んでいてもよい。国際住所名に対応する識別子は、数値であってもよく、一つ又は複数の文字であってもよく、且つ／又は、数値−文字の組合せであってもよい。例えば、Hangzhou に対応する識別子は、「01」であってもよく、「HZ」であってもよく、或いは、「01HZ」であってもよい。住所−識別子対応性ライブラリは、上述の設定されている規則と等価であり、且つ、例えば、「01」、「HZ」、又は「01HZ」などの、例えば、Hangzhou 及び Hangzhou に対応する識別子などの、国際住所名及び国際住所名に対応する識別子を含むことができる。
【００５６】
更には、本開示の一実施形態においては、物流システムプロバイダは、受取人住所を受け取り、且つ、予め保存されている国際住所ライブラリ及び住所−識別子対応性ライブラリに従って、受取人住所に対応する住所識別子を生成しており、これには、複数のセグメント化されたフレーズを得るべく、受取人住所に対してワードセグメント化を実行するステップと、一つ又は複数のマッチングされた国際住所名を得るべく、複数のセグメント化されたフレーズと国際住所ライブラリとの間においてマッチングを実行するステップと、一つ又は複数の国際住所名に対応する一つ又は複数の識別子について住所−識別子対応性ライブラリをサーチするステップと、受取人住所に対応する住所識別子を得るべく、一つ又は複数の国際住所名の一つ又は複数の識別子を組み合わせるステップと、が含まれている。
【００５７】
物流システムは、受取人住所に従って、且つ、特定の方法を使用することにより、マッチングした住所情報について国際住所ライブラリをサーチすることができる。特定の方法は、ワードセグメント化方法であってもよい。例えば、第一に、複数のセグメント化されたフレーズと国際住所ライブラリとの間においてマッチングを実行するように、複数のセグメント化されたフレーズを得るべく、ワードセグメント化が受取人住所に対して実行され、例えば、受取人住所は、「Hangzhou, Zhejiang, China」であってもよく、且つ、ワードセグメント化及びマッチングの後に、「China」、「Zhejian」、及び「Hangzhou」が取得され、第二に、住所−識別子対応性ライブラリが、対応する識別子についてサーチされ、「China」に対応する識別子は、「CN」であってもよく、「Zhejiang」に対応する識別子は、「10」であってもよく、且つ、「Hangzhou」に対応する識別子は、「HZ」であってもよく、且つ、最後に、受取人住所の住所識別子である「CN-10-HZ」を得るべく、複数の識別子が組み合わせられる。住所識別子は、県（州）に固有のものであってもよく、或いは、都市に固有のものであってもよく、これは、本開示においては、具体的に限定されてはいない。
【００５８】
Ｓ３０２：物流システムは、一つ又は複数の梱包の物流配送のために、一つ又は複数の住所識別子を一つ又は複数の輸送業者システムに送信する。
【００５９】
国際配送の一実施形態においては、複数の輸送業者システムが存在していてもよい。例えば、輸送業者システムは、輸送業者システムの機能的役割に従って、発注受領輸送業者システムと配送輸送業者システムとに分類することができる。発注受領輸送業者システムは、梱包の受取及び中継のタスクの責任を担っており、且つ、最後に、最終的な配送のために、梱包を配送輸送業者システムに送付する。国際運送ルートが非常に長い際には、配送輸送業者システムは、一つ又は複数の中継輸送業者システムと最終配送輸送業者システムとに更に分類されてもよく、即ち、一つ又は複数の中継輸送業者システムは、国内における又は国の間における梱包の中継の責任を担っており、且つ、最終的に、最終配送のために、仕向け先の最終配送輸送業者システムに梱包を供給する。当業者は、複数の中継輸送業者システムが、中継のために、互いに協働し得ることを理解するであろう。同様に、別の例においては、発注受領輸送業者及び配送輸送業者は、同一の輸送業者エンティティとして統合されていてもよく、即ち、輸送業者システムは、梱包の受取及び中継の責任を担っており、且つ、又、梱包の配送の責任をも担っている。
【００６０】
本開示のこの実施形態においては、大きな梱包を開梱する必要がなく、この結果、物流配送効率が効果的に改善されるのみならず、時間及び労働が節約され、配送費用が低減され、且つ、配送が相対的に科学的且つ適切なものとなる。又、配送効率を改善しつつ、開梱によってもたらされる梱包損失などの問題も、低減される。これに加えて、国境に跨る梱包物流が実行され、且つ、受取人住所は、通常、複数の言語において記述されており、且つ、従って、複数の言語における受取人住所を輸送業者システムによって識別され得る識別子に変換し、これにより、言語障壁を除去すると共に配送効率を更に改善するように、住所識別子は、すべての輸送業者システムに送信されている。
【００６１】
更には、本開示の一実施形態においては、図４に示されているように、本開示の実施形態による国際物流配送方法は、以下のステップを更に含む。
【００６２】
Ｓ４０１：物流システムは、出荷の際に、予め保存されている国際住所ライブラリ及び予め設定されている住所変換規則に従って、一つ又は複数の梱包に対応する一つ又は複数の受取人住所を一つ又は複数の受取人住所に対応する一つ又は複数の住所識別子に変換する。
【００６３】
Ｓ４０２：物流システムは、一つ又は複数の梱包の物流配送のために、一つ又は複数の住所識別子を発注受領輸送業者システム及び配送輸送業者システムに送信する。
【００６４】
Ｓ４０３：発注受領輸送業者システムは、一つ又は複数の住所識別子に従って、同一の住所識別子に対応する梱包を一つの大きな梱包に梱包し、且つ、一つ又は複数の大きな梱包及び一つ又は複数の大きな梱包に対応する一つ又は複数の住所識別子を配送輸送業者システムに送付する。
【００６５】
本開示の一実施形態においては、住所識別子は、少なくとも、仕向け先国に対応する第一識別子と、仕向け先州／県に対応する第二識別子と、を含んでいてもよく、且つ、予め設定されている住所変換規則は、住所−識別子対応性ライブラリを含み、且つ、発注受領輸送業者システムにより、一つ又は複数の住所識別子に従って、同一の住所識別子に対応する梱包を一つの大きな梱包に梱包し、且つ、一つ又は複数の大きな梱包及び一つ又は複数の大きな梱包に対応する一つ又は複数の住所識別子を配送輸送業者システムに送付するステップは、同一の住所識別子に対応する梱包を一つの大きな梱包に梱包し、且つ、住所識別子を大きな梱包に付加するステップと、大きな梱包を配送輸送業者システムに送付するステップと、を含む。
【００６６】
本開示のこの実施形態においては、仕向け先国に対応する第一識別子により、本開示のこの実施形態による物流配送方法は、国内物流配送に適用し得るのみならず、国際物流配送にも適用することが可能であり、この結果、言語障壁が除去される。これに加えて、ソート及び配送は、仕向け先州／県に対応する第二識別子により、直接的に実行することが可能であり、この結果、仕向け先国に対応する第一識別子に従ってソート及び配送を実行する場合との比較において、相対的に高い物流配送効率が実現され、且つ、時間及び労働が節約される。
【００６７】
これに加えて、発注受領輸送業者システムは、一つ又は複数の住所識別子に従って、同一の住所識別子に対応する梱包を一つの大きな梱包に梱包し、且つ、大きな梱包に対応する住所識別子を大きな梱包に付加しており、これは、配送輸送業者システムが、住所−識別子対応性ライブラリ及び一つ又は複数の大きな梱包に付加された一つ又は複数の住所識別子に従って一つ又は複数の大きな梱包をソート及び配送することを支援する。
【００６８】
例えば、送付された梱包を受け取った後に、国内物流プロバイダは、受け取った住所識別子に従って、仕向け先県（州）又は都市を識別し、カテゴリごとに梱包を保存し、国内物流プロバイダが梱包を転送する際には、大きな梱包を対応する仕向け先国物流プロバイダに送付するように、県（州）又は都市レベルに従って、梱包を一つの大きな梱包に梱包し、住所識別子を大きな梱包に貼り付け、且つ、大きな梱包を転送する。
【００６９】
Ｓ４０４：配送輸送業者システムは、一つ又は複数の大きな梱包に対応する、且つ、発注受領輸送業者システムによって送信された、一つ又は複数の住所識別子、予め保存されている国際住所ライブラリ、及び予め設定されている住所変換規則に従って、一つ又は複数の大きな梱包を配送する。
【００７０】
本開示の一実施形態においては、配送輸送業者システムにより、一つ又は複数の大きな梱包に対応する、且つ、発注受領輸送業者システムによって送信された、一つ又は複数の住所識別子、予め保存されている住所ライブラリ、及び予め設定されている住所変換規則に従って、一つ又は複数の大きな梱包を配送するステップは、一つ又は複数の大きな梱包に接着している一つ又は複数の住所識別子に従って一つ又は複数の大きな梱包をソートするステップと、住所−識別子対応性ライブラリ及び住所ライブラリに従って一つ又は複数の大きな梱包を一つ又は複数の対応する仕向け先州／県に配送するステップと、を含む。
【００７１】
発注受領輸送業者システムから一つ又は複数の大きな梱包を受け取った後に、配送輸送業者システムは、一つ又は複数の大きな梱包に接着している一つ又は複数の住所識別子に従って一つ又は複数の大きな梱包をソートし、且つ、次いで、一つ又は複数の大きな梱包を配送する。一つ又は複数の大きな梱包は、ソート及び配送のために、開梱する必要なく、この結果、物流配送効率が改善される。
【００７２】
本開示のこの実施形態においては、住所ライブラリ及び住所−識別子対応性ライブラリとの組合せにおいて、物流システムは、国、県（州）、及び都市などの、購入者によって記入された受取人住所に関する情報に従って、マッチングした住所情報について住所ライブラリをサーチしてもよく、且つ、設定されている規則に従って、住所情報を国内物流プロバイダ及び仕向け先国物流プロバイダなどの輸送業者システムによって識別され得る住所識別子に変換している。大きな梱包を受け取った後に、配送輸送業者システムが、大きなパッケージを開梱すると共に大きな梱包内の梱包を一つずつソートすることなしに、大きな梱包の県（州）又は都市に応じたソート及び配送を直接的に実行し、これにより、時間及び労働を節約し得ると共に物流配送効率を効果的に改善し得るように、住所識別子を受け取った後に、発注受領輸送業者システムは、住所識別子に従って、同一の県（州）又は同一の都市に送付されるべき梱包を一つの大きな梱包に梱包することができる。
【００７３】
例えば、受取人住所は、「Yuhang district, Hangzhou, Zhejiang, China」であり、物流システムは、国際住所ライブラリ及び住所−識別子対応性ライブラリに従って、受取人住所に対応する住所識別子である「CN-10」又は「CN-10-HZ」を生成してもよく、この場合に、「CN」は、国−中国を表しており、「10」は、県−Zhejiang を表しており、且つ、「HZ」は、都市−「Hangzhou」を表している。別の例として、受取人住所は、「Houston, Texas, United States」であり、物流システムは、国際住所ライブラリ及び住所−識別子対応性ライブラリに従って、受取人住所に対応する住所識別子である「USA-05」又は「USA-05-HT」を生成してもよく、この場合に、「USA」は、国−米国を表しており、「10」は、州−テキサスを表しており、且つ、「HT」は、都市−Houston を表している。更には、国際物流を一例として使用すれば、例えば、米国から中国への出荷の際に、米国内の国内物流プロバイダ、即ち、発注受領輸送業者システムは、例えば、「Zhejiang」又は「Hangzhou, Zhejiang」などの同一の住所識別子に対応する梱包を一つの大きな梱包に梱包してもよく、且つ、中国内の仕向け先国物流プロバイダ、即ち、配送輸送業者システムは、ユーザが可能な限り早期に梱包を受け取り得るように、言語障壁が除去されるように、且つ、供給スタッフに対する要件が低減されるように、梱包を仕向け先に配送するように、識別子「Zhejiang」又は識別子「Hangzhou」に従ってソートを直接的に実行することができる。
【００７４】
本開示のこの実施形態による物流配送方法においては、発注受領輸送業者システムが、同一の住所識別子に対応する梱包を一つの大きな梱包に梱包するように、且つ、配送輸送業者システムが、住所変換規則及び一つ又は複数の大きな梱包に対応する一つ又は複数の住所識別子に従って一つ又は複数の大きな梱包を直接的にソート及び配送するように、物流システムは、住所ライブラリ及び住所変換規則に従って受取人住所を受取人住所に対応する住所識別子に変換している。一つ又は複数の大きな梱包を開梱する必要がなく、言語障壁が除去され、且つ、供給スタッフに対する要件が低減されており、この結果、物流配送効率が効果的に改善されるのみならず、時間及び労働が節約され、配送費用が低減され、且つ、配送が相対的に科学的且つ適切なものとなる。又、配送効率を改善しつつ、開梱によってもたらされる梱包損失などの問題も、低減される。
【００７５】
上述の実施形態を実装するべく、本開示の一実施形態は、物流配送システムを更に提供している。
【００７６】
図５は、本開示の一実施形態による物流配送システムの概略構造図である。
【００７７】
図５に示されているように、物流配送システム１０は、物流システム１００と、一つ又は複数の輸送業者システム２００と、を含む。
【００７８】
物流システム１００は、出荷の際に、予め保存されている住所ライブラリ及び予め設定されている住所変換規則に従って、一つ又は複数の梱包に対応する一つ又は複数の受取人住所を一つ又は複数の受取人住所に対応する一つ又は複数の住所識別子に変換し、且つ、一つ又は複数の梱包の物流配送のために、一つ又は複数の住所識別子を一つ又は複数の輸送業者システム２００に送信するように、構成されている。図６は、本開示の一実施形態による物流配送システムの概略構造図である。
【００７９】
図６に示されているように、一つ又は複数の輸送業者システム２００は、発注受領輸送業者システム２０１と、配送輸送業者システム２０２と、を含む。即ち、物流配送システム１０は、物流システム１００と、発注受領輸送業者システム２０１と、配送輸送業者システム２０２と、を含む。
【００８０】
物流システム１００は、出荷の際に、予め保存されている住所ライブラリ及び予め設定されている住所変換規則に従って、一つ又は複数の梱包に対応する一つ又は複数の受取人住所を一つ又は複数の受取人住所に対応する一つ又は複数の住所識別子に変換し、且つ、一つ又は複数の梱包の物流配送のために、一つ又は複数の住所識別子を発注受領輸送業者システム２０１及び配送輸送業者システム２０２に送付するように、構成されている。住所変換規則は、実際の状況に従って設定されてもよく、且つ、予め設定されている住所変換規則は、住所−識別子対応性ライブラリを含むことができる。
【００８１】
本開示の一実施形態においては、発注受領輸送業者システム及び配送輸送業者システム２０２は、同一のエンティティに属することができる。
【００８２】
更には、本開示の一実施形態においては、配送輸送業者システム２０２は、一つ又は複数の中継輸送業者システムと、最終配送輸送業者システムと、を含む。
【００８３】
更には、本開示の一実施形態においては、発注受領輸送業者システム１００は、一つ又は複数の住所識別子に従って、同一の住所識別子に対応する梱包を一つの大きな梱包に梱包し、且つ、一つ又は複数の大きな梱包及び一つ又は複数の大きな梱包に対応する一つ又は複数の住所識別子を配送輸送業者システム２０２に送付している。
【００８４】
更には、本開示の一実施形態においては、配送輸送業者システム２０２は、一つ又は複数の大きな梱包に対応する、且つ、発注受領輸送業者システム２０１によって送信された、一つ又は複数の住所識別子、予め保存されている住所ライブラリ、及び予め設定されている住所変換規則に従って、一つ又は複数の大きな梱包を配送している。
【００８５】
本開示のこの実施形態においては、大きな梱包を開梱する必要がなく、この結果、物流配送効率が効果的に改善されるのみならず、時間及び労働が節約され、配送費用が低減され、配送が相対的に科学的且つ適切なものとなり、従って、ユーザ経験が改善される。
【００８６】
本開示の一実施形態においては、住所識別子は、少なくとも、仕向け先国に対応する第一識別子と、仕向け先州／県に対応する第二識別子と、を含み、且つ、予め設定されている住所変換規則は、住所−識別子対応性ライブラリを含み、且つ、一つ又は複数の住所識別子に従って、発注受領輸送業者システム２０１により、同一の住所識別子に対応する梱包を一つの大きな梱包に梱包し、且つ、一つ又は複数の大きな梱包及び一つ又は複数の大きな梱包に対応する一つ又は複数の住所識別子を配送輸送業者システム２０２に送付するステップは、同一の住所識別子に対応する梱包を一つの大きな梱包に梱包し、且つ、住所識別子を大きな梱包に付加するステップと、大きな梱包を配送輸送業者システム２０２に送付するステップと、を含む。
【００８７】
本開示のこの実施形態においては、仕向け先国に対応する第一識別子により、本開示のこの実施形態による物流配送システムは、国内物流配送に適用し得るのみならず、国際物流配送にも適用することができる。これに加えて、ソート及び配送は、仕向け先州／県に対応する第二識別子により、直接的に実行することが可能であり、この結果、言語障壁が除去されるのみならず、相対的に高い物流配送効率が実現され、且つ、時間及び労働が低減される。
【００８８】
これに加えて、発注受領輸送業者システム２０１は、一つ又は複数の住所識別子に従って同一の住所識別子に対応する梱包を一つの大きな梱包に梱包し、且つ、大きな梱包に対応する住所識別子を大きな梱包に付加しており、これは、配送輸送業者システムが、住所−識別子対応性ライブラリ及び一つ又は複数の大きな梱包に付加された一つ又は複数の住所識別子に従って一つ又は複数の大きな梱包をソート及び配送することを支援する。
【００８９】
更には、本開示の一実施形態においては、配送輸送業者システム２０２により、一つ又は複数の大きな梱包に対応する、且つ、発注受領輸送業者システム２０１によって送信された、一つ又は複数の住所識別子、予め保存されている住所ライブラリ、及び予め設定されている住所変換規則に従って、一つ又は複数の大きな梱包を配送するステップは、一つ又は複数の大きな梱包に接着している一つ又は複数の住所識別子に従って一つ又は複数の大きな梱包をソートするステップと、住所−識別子対応性ライブラリ及び住所ライブラリに従って一つ又は複数の大きな梱包を一つ又は複数の対応する仕向け先州／県に配送するステップと、を含む。
【００９０】
発注受領輸送業者システム２０２から一つ又は複数の大きな梱包を受け取った後に、配送輸送業者システム２０１は、一つ又は複数の大きな梱包に接着している一つ又は複数の住所識別子に従って一つ又は複数の大きな梱包をソートし、且つ、次いで、一つ又は複数の大きな梱包を配送する。一つ又は複数の大きな梱包は、ソート及び配送のために、開梱する必要がなく、この結果、物流配送効率が改善される。
【００９１】
任意選択により、本開示の一実施形態においては、住所ライブラリは、住所名を含み、且つ、住所−識別子対応性ライブラリは、住所名と、住所名に対応する識別子と、を含み、且つ、物流システム１００により、出荷の際に、予め保存されている住所ライブラリ及び予め設定されている住所変換規則に従って、一つ又は複数の梱包に対応する一つ又は複数の受取人住所を一つ又は複数の受取人住所に対応する一つ又は複数の住所識別子に変換するステップは、複数のセグメント化されたフレーズを得るべく、一つ又は複数の受取人住所に対してワードセグメント化を実行するステップと、一つ又は複数のマッチングした住所名を得るべく、複数のセグメント化されたフレーズと住所ライブラリとの間においてマッチングを実行するステップと、一つ又は複数の住所名に対応する一つ又は複数の識別子について住所−識別子対応性ライブラリをサーチするステップと、一つ又は複数の受取人住所に対応する一つ又は複数の住所識別子を得るべく、一つ又は複数の住所名の一つ又は複数の識別子を組み合わせるステップと、を含む。物流システム１００は、特定の方法を使用することにより、受取人住所に従って、マッチングした住所情報について住所ライブラリをサーチすることができる。特定の方法は、ワードセグメント化方法であってもよい。例えば、第一に、複数のセグメント化されたフレーズと住所ライブラリとの間においてマッチングを実行するように、複数のセグメント化されたフレーズを得るべく、ワードセグメント化が受取人住所に対して実行され、例えば、受取人住所は、「Hangzhou, Zhejiang」であり、且つ、ワードセグメント化及びマッチングの後に、「Zhejiang」及び「Hangzhou」が取得され、第二に、住所−識別子対応性ライブラリが、対応する識別子についてサーチされ、「Zhejiang」に対応する識別子は、「10」であってもよく、且つ、「Hangzhou」に対応する識別子は、「HZ」であってもよく、且つ、最後に、受取人住所の住所識別子である「10-HZ」を得るべく、複数の識別子が組み合わせられる。住所識別子は、県（州）に固有のものであってもよく、或いは、都市に固有のものであってもよく、これは、本開示において、具体的に限定されてはいない。
【００９２】
任意選択により、本開示の一実施形態においては、住所名に対応する識別子は、数値であってもよく、一つ又は複数の文字であってもよく、且つ／又は、数値−文字の組合せであってもよく、例えば、「Hangzhou」に対応する識別子は、「01」であってもよく、「HZ」であってもよく、或いは、「01HZ」であってもよい。
【００９３】
これに加えて、本開示の一実施形態においては、物流システム１００は、住所名に従って住所ライブラリを生成し、且つ、住所ライブラリを保存しており、或いは、物流システムは、住所ライブラリをクラウドサーバからダウンロードし、且つ、住所ライブラリを保存している。
【００９４】
即ち、発注受領輸送業者システム２０１が、住所識別子に従って梱包を実行し得るように、且つ、配送輸送業者システム２０２が、住所識別子に従ってソート及び配送を実行し、これにより、ソートステップを低減し得ると共に時間及び労働を節約し得るように、輸送業者システムによって識別され得る住所識別子を生成するように、予め保存されている住所ライブラリは、物流システム１００によって生成されてもよく、且つ、生成方法は、住所名に従って住所ライブラリを生成する、或いは、住所ライブラリをクラウドサーバからダウンロードする、というものであってもよい。
【００９５】
本開示のこの実施形態における物流配送システムの特定の実装方式は、物流配送方法の部分の特定の実装方式に類似しており、従って、冗長性を低減するべく、ここでの再度の詳細な説明は省略する。
【００９６】
本開示のこの実施形態による物流配送システムにおいては、物流システムは、発注受領輸送業者システムが同一の住所識別子に対応する梱包を一つの大きな梱包に梱包するように、住所ライブラリ及び住所変換規則に従って、受取人住所を受取人住所に対応する住所識別子に変換しており、且つ、配送輸送業者システムは、一つ又は複数の大きな梱包を開梱することなしに、住所変換規則及び一つ又は複数の大きな梱包に対応する一つ又は複数の住所識別子に従って一つ又は複数の大きな梱包を直接的にソート及び配送している。物流配送システムは、国際物流配送に対して適用可能であり、従って、言語障壁を除去しており、この結果、物流配送効率が効果的に改善されるのみならず、時間及び労働が節約され、配送費用が低減され、且つ、配送が相対的に科学的且つ適切なものとなる。又、配送効率を改善しつつ、開梱によってもたらされる梱包損失などの問題も、低減される。上述の実施形態を実装するべく、本開示の一実施形態は、物流システムを更に提供している。
【００９７】
図７は、本開示の一実施形態による物流システムの概略構造図である。
【００９８】
図７に示されているように、例えば、４ＰＬシステムなどの、物流システム２０は、受信モジュール３００と、住所識別子生成モジュール４００と、送信モジュール５００と、を含む。受信モジュール３００は、受取人住所を受け取るように構成されている。住所識別子生成モジュール４００は、予め保存されている住所ライブラリ及び予め設定されている住所変換規則に従って、一つ又は複数の梱包に対応する一つ又は複数の受取人住所を一つ又は複数の受取人住所に対応する一つ又は複数の住所識別子に変換するように構成されている。送信モジュール５００は、一つ又は複数の梱包の物流配送のために、一つ又は複数の住所識別子を一つ又は複数の輸送業者システムに送信するように構成されている。本開示のこの実施形態による物流システム２０によれば、受取人住所に対応する住所識別子は、配送輸送業者システムがソート及び配送を実行することを支援するように、受取人住所に従って生成されることが可能であり、この結果、物流配送効率が改善されるのみならず、配送費用が低減される。又、配送効率を改善しつつ、開梱によってもたらされる梱包損失などの問題も、低減される。
【００９９】
本開示の一実施形態においては、一つ又は複数の輸送業者システムは、発注受領輸送業者システムと、配送輸送業者システムと、を含む。
【０１００】
任意選択により、本開示の一実施形態においては、発注受領輸送業者システム及び配送輸送業者システムは、同一のエンティティに属することができる。
【０１０１】
更には、本開示の一実施形態においては、配送輸送業者システムは、一つ又は複数の中継輸送業者システムと、最終配送輸送業者システムと、を含む。
【０１０２】
任意選択により、本開示の一実施形態においては、住所識別子は、少なくとも、仕向け先国に対応する第一識別子と、仕向け先州／県に対応する第二識別子と、を含み、且つ、予め設定されている住所変換規則は、住所−識別子対応性ライブラリを含む。従って、仕向け先国に対応する第一識別子により、物流システムは、国内物流配送に適用し得るのみならず、国際物流配送にも適用することができる。これに加えて、ソート及び配送は、仕向け先州／県に対応する第二識別子により、直接的に実行することが可能であり、この結果、相対的に高い物流配送効率が実現され、且つ、時間及び労働が節約される。
【０１０３】
更には、本開示の一実施形態においては、住所ライブラリは、住所名を含み、且つ、住所−識別子対応性ライブラリは、住所名と、住所名に対応する識別子と、を含み、且つ、住所識別子生成モジュール４００は、複数のセグメント化されたフレーズを得るべく、一つ又は複数の受取人住所に対してワードセグメント化を実行し、一つ又は複数のマッチングされた国際住所名を得るべく、複数のセグメント化されたフレーズと住所ライブラリとの間においてマッチングを実行し、一つ又は複数の国際住所名に対応する一つ又は複数の識別子について住所−識別子対応性ライブラリをサーチし、且つ、一つ又は複数の受取人住所に対応する一つ又は複数の住所識別子を得るべく、一つ又は複数の住所名の一つ又は複数の識別子を組み合わせるように、構成されている。
【０１０４】
住所識別子生成モジュール４００は、受取人住所に従って、特定の方法を使用することにより、マッチングした住所情報について住所ライブラリをサーチすることができる。特定の方法は、ワードセグメント化方法であってもよい。例えば、第一に、複数のセグメント化されたフレーズと国際住所ライブラリとの間においてマッチングを実行するように、複数のセグメント化されたフレーズを得るべく、ワードセグメント化が受取人住所に対して実行され、例えば、受取人住所は、「Hangzhou, Zhejiang, China」であり、且つ、ワードセグメント化及びマッチングの後に、「China」、「Zhejiang」、及び「Hangzhou」が得られ、第二に、住所−識別子対応性ライブラリが、対応する識別子についてサーチされ、「China」に対応する識別子は、「CN」であってもよく、「Zhejiang」に対応する識別子は、「10」であってもよく、且つ、「Hangzhou」に対応する識別子は、「HZ」であってもよく、且つ、最後に、受取人住所に対応する住所識別子である「CH-10-HZ」を得るべく、複数の識別子が組み合わせられる。住所識別子は、県（州）に固有のものであってもよく、或いは、都市に固有のものであってもよく、これは、本開示においては、具体的に限定されてはいない。
【０１０５】
任意選択により、本開示の一実施形態においては、国際住所名に対応する識別子は、数値であってもよく、一つ又は複数の文字であってもよく、且つ／又は、数値−文字の組合せであってもよい。例えば、Hangzohu に対応する識別子は、「01」であってもよく、「HZ」であってもよく、或いは、「01HZ」であってもよい。識別子は、理解するのが、簡単、便利、且つ、容易である。
【０１０６】
これに加えて、本開示の一実施形態においては、住所識別子生成モジュール４００は、住所名に従って住所ライブラリを生成し、且つ、住所ライブラリを保存するか、或いは、クラウドサーバから住所ライブラリをダウンロードし、且つ、住所ライブラリを保存するように、更に構成されている。
【０１０７】
即ち、梱包が住所識別子に従って実行されるように、且つ、ソート及び配送が、住所識別子に従って実行され、これにより、ソートステップが低減されると共に時間及び労働が節約されるように、国々の輸送業者システムによって識別され得る住所識別子を生成するように、予め保存されている住所ライブラリが、住所識別子生成モジュール４００によって生成されてもよく、且つ、生成方法は、住所名に従って住所ライブラリを生成する、或いは、クラウドサーバから住所ライブラリをダウンロードする、というものであってもよい。
【０１０８】
本開示のこの実施形態による物流システムにおいては、発注受領輸送業者システムが、同一の住所識別子に対応する梱包を一つの大きな梱包に梱包するように、且つ、配送輸送業者システムが、一つ又は複数の大きな梱包を開梱することなしに、住所変換規則及び一つ又は複数の大きな梱包に対応する一つ又は複数の住所識別子に従って一つ又は複数の大きな梱包を直接的にソート及び配送するように、受取人住所が、住所ライブラリ及び住所変換規則に従って、受取人住所に対応する住所識別子に変換されている。物流配送システムは、国際物流配送に適用可能であり、従って、言語障壁を除去し、この結果、物流配送効率が効果的に改善されるのみならず、時間及び労働が節約され、配送費用が低減され、且つ、配送が相対的に科学的且つ適切なものとなる。又、配送効率を改善しつつ、開梱によってもたらされる梱包損失などの問題も、低減される。
【０１０９】
本開示の様々な部分は、ハードウェア、ソフトウェア、ファームウェア、又はこれらの組合せにより、実装され得ることを理解されたい。上述の実施形態においては、複数のステップ又は方法は、メモリ内において保存されているソフトウェア又はファームウェアによって実装されてもよく、且つ、適切な命令実行システムにより、実行されてもよい。例えば、ハードウェアによって実装される場合には、別の実施形態におけると同様に、これらは、データ信号に対して論理関数を実装するべく使用される論理ゲート回路を有する個別の論理回路、適切な組合せ型の論理ゲート回路を有する専用の集積回路、プログラム可能なゲートアレイ（ＰＧＡ：Programmable Gate Array）、フィールドプログラム可能なゲートアレイ（ＦＰＧＡ：Field Programmable Gate Array）、及びこれらに類似したもの、という当技術分野において一般に既知である技法のうちの任意の一つ又は組合せにより、実装することができる。
【０１１０】
本明細書の説明においては、「一実施形態」、「いくつかの実施形態」、「一例」、「特定の例」、又は「いくつかの例」などの参照用語の記述は、その実施形態又は例との関連において記述されている特定の特徴、構造、材料、又は特性が、本開示の少なくとも一つの実施形態又は例に含まれていることを意味することを意図したものである。本明細書においては、上述の用語の概略表現は、必ずしも、同一の実施形態又は例を参照するものではない。更には、記述されている特定の特徴、構造、材料、又は特性は、任意の一つ又は複数の実施形態又は例において、適切な方式により、組み合わせられてもよい。
【０１１１】
以上、本開示の実施形態について図示及び記述したが、当業者は、本開示の原理及び精神を逸脱することなしに、これらの実施形態に対して様々な変更、変形、置換、及び変動を実施することが可能であり、且つ、本開示の範囲は、添付の請求項及びその均等物によって定義されることを理解するであろう。
【図１】
2019509544.tif 000003
【図２】
2019509544.tif 000004
【図３】
2019509544.tif 000005
【図４】
2019509544.tif 000006
【図５】
2019509544.tif 000007
【図６】
2019509544.tif 000008
【図７】
2019509544.tif 000009
【国際調査報告】
2019509544.tif 000010